(57)【要約】【課題】  アイソレーションを向上させて周波数特性の乱れを防止したバンド切り換えスイッチ１１を提供することにより、スペクトラム分析装置１００のレベル測定確度の向上させる。【解決手段】  スペクトラム分析装置１００の周波数を掃引しているときに、所定周波数ｆｃより高い周波数では、低域スイッチ部５２を第２の出力端子５２ｃに切り換えて所定周波数ｆｃより高い周波数成分を低域終端器５３で終端するように制御するスイッチ制御部２３とを備えた。【選択図】図１
2013096841.tif 000002
【特許請求の範囲】
【請求項１】
被測定信号Ｘを予め定められた所定周波数で低域と高域に切り換えを行うバンド切り換えスイッチ（１１）と、
前記バンド切り換えスイッチで切り換えられた前記低域の前記被測定信号の周波数を低域用中間周波数に変換する低域用周波数変換部（１３）と、
前記バンド切り換えスイッチで切り換えられた前記高域の前記被測定信号の周波数を高域用中間周波数に変換する高域用周波数変換部（１５）とを備え、
前記低域用中間周波数と前記高域用中間周波数に変換された前記被測定信号のスペクトラムを分析するスペクトラム分析装置（１００）であって、
前記バンド切り換えスイッチは、前記スペクトラム分析装置の前記被測定信号を入力する入力端子（４９）と、
前記入力端子の後段に接続され、前記所定周波数よりも低い周波数を遮断周波数としたハイパスフィルタ（５５）と、
前記ハイパスフィルタの後段に接続される高域出力端子（５８）と、
前記入力端子の後段に前記ハイパスフィルタと並列に接続され、前記所定周波数よりも高い周波数を遮断周波数としたローパスフィルタ（５１）と、
低域共通端子（５２ａ）、第１の出力端子（５２ｂ）および第２の出力端子（５２ｃ）を有し、前記ローパスフィルタから前記低域共通端子に入力される信号を前記第１の出力端子または前記第２の出力端子のいずれかに出力する低域スイッチ部（５２）と、
前記低域スイッチ部の前記第１の出力端子に接続される低域出力端子（５４）と、
前記低域スイッチ部の前記第２の出力端子に接続される低域終端器（５３）とから構成され、
前記スペクトラム分析装置の周波数を掃引しているときに、前記所定周波数より高い周波数では、前記低域スイッチ部を前記第２の出力端子に切り換えて前記所定周波数より高い周波数成分を前記低域終端器で終端するように制御するスイッチ制御部（２３）とをさらに備えたスペクトラム分析装置。
【請求項２】
被測定信号Ｘを予め定められた所定周波数で低域と高域に切り換えを行うバンド切り換えスイッチ（１１）と、
前記バンド切り換えスイッチで切り換えられた前記低域の前記被測定信号の周波数を低域用中間周波数に変換する低域用周波数変換部（１３）と、
前記バンド切り換えスイッチで切り換えられた前記高域の前記被測定信号の周波数を高域用中間周波数に変換する高域用周波数変換部（１５）とを備え、
前記低域用中間周波数と前記高域用中間周波数に変換された前記被測定信号のスペクトラムを分析するスペクトラム分析装置（１００）であって、
前記バンド切り換えスイッチは、前記スペクトラム分析装置の前記被測定信号を入力する入力端子（４９）と、
前記入力端子の後段に接続され、前記所定周波数よりも高い周波数を遮断周波数としたローパスフィルタ（５１）と、
前記ローパスフィルタの後段に接続される低域出力端子（５４）と、
前記入力端子の後段に前記ローパスフィルタと並列に接続され、前記所定周波数よりも低い周波数を遮断周波数としたハイパスフィルタ（５５）と、
高域共通端子（５６ａ）、第３の出力端子（５６ｂ）および第４の出力端子（５６ｃ）を有し、前記ハイパスフィルタから前記高域共通端子に入力される信号を前記第３の出力端子または前記第４の出力端子のいずれかに出力する高域スイッチ部（５６）と、
前記高域スイッチ部の前記第３の出力端子に接続される高域出力端子（５８）と、
前記高域スイッチ部の前記第４の出力端子に接続される高域終端器（５７）とから構成され、
前記スペクトラム分析装置の周波数を掃引しているときに、前記所定周波数より低い周波数では、前記高域スイッチ部を前記第４の出力端子に切り換えて前記所定周波数より低い周波数成分を前記高域終端器で終端するように制御するスイッチ制御部（２３）とをさらに備えたスペクトラム分析装置。
【請求項３】
被測定信号Ｘを予め定められた所定周波数で低域と高域に切り換えを行うバンド切り換えスイッチ（１１）と、
前記バンド切り換えスイッチで切り換えられた前記低域の前記被測定信号の周波数を低域用中間周波数に変換する低域用周波数変換部（１３）と、
前記バンド切り換えスイッチで切り換えられた前記高域の前記被測定信号の周波数を高域用中間周波数に変換する高域用周波数変換部（１５）とを備え、
前記低域用中間周波数と前記高域用中間周波数に変換された前記被測定信号のスペクトラムを分析するスペクトラム分析装置（１００）であって、
前記バンド切り換えスイッチは、前記スペクトラム分析装置の前記被測定信号を入力する入力端子（４９）と、
前記入力端子の後段に接続され、前記所定周波数よりも高い周波数を遮断周波数としたローパスフィルタ（５１）と、
低域共通端子（５２ａ）、第１の出力端子（５２ｂ）および第２の出力端子（５２ｃ）を有し、前記ローパスフィルタから前記低域共通端子に入力される信号を前記第１の出力端子または前記第２の出力端子のいずれかに出力する低域スイッチ部（５２）と、
前記低域スイッチ部の前記第１の出力端子に接続される低域出力端子（５４）と、
前記低域スイッチ部の前記第２の出力端子に接続される低域終端器（５３）と、
前記入力端子の後段に前記ローパスフィルタと並列に接続され、前記所定周波数よりも低い周波数を遮断周波数としたハイパスフィルタ（５５）と、
高域共通端子（５６ａ）、第３の出力端子（５６ｂ）および第４の出力端子（５６ｃ）を有し、前記ハイパスフィルタから前記高域共通端子に入力される信号を前記第３の出力端子または前記第４の出力端子のいずれかに出力する高域スイッチ部（５６）と、
前記高域スイッチ部の前記第３の出力端子に接続される高域出力端子（５８）と、
前記高域スイッチ部の前記第４の出力端子に接続される高域終端器（５７）とから構成され、
前記スペクトラム分析装置の周波数を掃引しているときに、前記所定周波数より高い周波数では、前記低域スイッチ部を前記第２の出力端子に切り換えて前記所定周波数より高い周波数成分を前記低域終端器で終端し、かつ前記所定周波数より低い周波数では、前記高域スイッチ部を前記第４の出力端子に切り換えて前記所定周波数より低い周波数成分を前記高域終端器で終端するように制御するスイッチ制御部（２３）とをさらに備えたスペクトラム分析装置。
【発明の詳細な説明】
【技術分野】
【０００１】
本発明は、スペクトラム分析装置のバンド切り換えスイッチに関する。
【背景技術】
【０００２】
スペクトラム分析装置は、スペクトラムアナライザとも呼ばれ、入力された被測定信号Ｘの周波数成分を分析する装置である。近年では、ほぼ直流から数十ＧＨｚまでの広帯域にわたって連続して分析を行うスペクトラム分析装置が知られている。
【０００３】
ほぼ直流から数十ＧＨｚまで周波数分析を行うにあたり、スペクトラム分析装置内部に構成された１つのデバイスで全ての周波数をカバーできるものではなく、分析する周波数によって使用可能なデバイスはまちまちである。
【０００４】
スペクトラム分析装置内部において、たとえば同調周波数を可変できる中心周波数可変バンドパスフィルタを実現するためのデバイスとして、ＹＩＧ（Ｙｔｔｒｉｕｍ  Ｉｒｏｎ  Ｇａｒｎｅｔ）を用いたＹＴＦ（ＹＩＧ  Ｔｕｎｅｄ  Ｆｉｌｔｅｒ）が挙げられる。
【０００５】
このＹＴＦの同調周波数は、例として４ＧＨｚから５０ＧＨｚまでといった範囲に限定されている。このため、ほぼ直流から４ＧＨｚ以下の周波数の分析を行うときのデバイスとしてＹＴＦを用いるのではなく、４ＧＨｚ近傍を遮断周波数としたローパスフィルタを用いている。すなわち、ほぼ直流から４ＧＨｚまでと、４ＧＨｚから５０ＧＨｚまでといったバンド分けを行っている。
【０００６】
このように、所定周波数ｆｃより低いバンドと、所定周波数ｆｃより高いバンドとにバンド分けを行っているが、そのためにはスペクトラム分析装置内部では所定周波数ｆｃを境にして入力された被測定信号Ｘをバンド切り換えスイッチ１１を用いて、それぞれのバンド毎に用意されたデバイスが使用できるように被測定信号Ｘの経路を切り換える必要がある。たとえば下記特許文献１の図２に開示されるスペクトラムアナライザのスイッチや、下記特許文献２の図１に開示される分波回路が公知である。
【先行技術文献】
【特許文献】
【０００７】
【特許文献１】実開平６−１２９７４号公報
【特許文献２】特開２００５−２１０６０７号公報
【発明の概要】
【発明が解決しようとする課題】
【０００８】
ところで、それぞれのバンド毎に用意されたデバイスが使用できるよう、被測定信号Ｘの経路を切り換えるために、一般に図７に示すようなバンド切り換えスイッチ１１が用いられている。バンド切り換えスイッチ１１は、直流からたとえば数十ＧＨｚまでに対応し、オンになった経路に対しては高周波損失が小さく、またオフになった経路に対しては被測定信号Ｘを遮断すべく高周波信号の漏れを小さくしてアイソレーションを確保する構成とされている。
【０００９】
しかしながら、このバンド切り換えスイッチ１１はアイソレーションが不十分な場合があり、所定周波数ｆｃより低いバンドをオンの経路としているときに、オフとなっているｆｃより高いバンドの経路に所定周波数ｆｃより低いバンドの被測定信号Ｘが漏れることがあった。
【００１０】
同様に、所定周波数ｆｃより高いバンドをオンの経路としているときに、オフとなっている所定周波数ｆｃより低いバンドの経路に所定周波数ｆｃより高いバンドの被測定信号Ｘが漏れることがあった。
【００１１】
また、それぞれのバンド毎に用意されたデバイスが使用できるよう、被測定信号Ｘの経路を切り換えるために、図８に示すようにローパスフィルタ５１とハイパスフィルタ５５を用いて、それぞれのフィルタの遮断周波数が重複しないように構成することで、所定周波数ｆｃ近傍を境としてバンド切り換えスイッチ１１と等価な動作をさせる手法も考えられている。
【００１２】
しかしながら、スペクトラム分析装置１００では、それぞれのフィルタの遮断周波数が所定周波数ｆｃ近傍で重複しないように構成すると、所定周波数ｆｃ近傍では被測定信号Ｘがローパスフィルタ５１とハイパスフィルタ５５の双方を通過しにくい周波数帯が生じ、その周波数帯ではスペクトラム分析が低感度にしか行えず、ダイナミックレンジの狭いスペクトラム分析装置１００となってしまう。
【００１３】
そこで、所定周波数ｆｃ近傍の被測定信号Ｘの減衰を抑え、所定周波数ｆｃ近傍のスペクトラム分析を高感度に行えるように、所定周波数ｆｃ近傍において図８のローパスフィルタ５１とハイパスフィルタ５５の通過帯域がオーバラップするようにすることも考えられる。すなわち、図５に示す周波数特性のように、ローパスフィルタ５１の遮断周波数ｆｌは、バンドを切り換える所定周波数ｆｃより高い周波数とし、ハイパスフィルタ５５の遮断周波数ｆｈは、所定周波数ｆｃより低い周波数として、ローパスフィルタ５１とハイパスフィルタ５５の通過帯域がオーバラップするようにしている。
【００１４】
しかしながら、所定周波数ｆｃ近傍では被測定信号Ｘがローパスフィルタ５１とハイパスフィルタ５５の双方のフィルタを通過するので、バンド切り換えスイッチ１１の低域出力端子５４および高域出力端子５８の両方に所定周波数ｆｃ近傍の被測定信号Ｘが出力されてしまう。つまり、所定周波数ｆｃより低いバンドの経路には、所定周波数ｆｃ近傍の被測定信号Ｘが漏れ出し、また所定周波数ｆｃより高いバンドの経路には、所定周波数近傍ｆｃの被測定信号Ｘが漏れ出すことになる。すなわち、所定周波数ｆｃ近傍においてはバンド切り換えスイッチ１１として不十分なアイソレーションとなってしまう。
【００１５】
バンド切り換えスイッチ１１の後段に存在する所定周波数ｆｃより低いバンドの経路には、所定周波数ｆｃより低いバンドにのみ対応したデバイス、たとえば低域用ローパスフィルタ１２が接続されている。このため、所定周波数ｆｃより低いバンドの経路に漏れた所定周波数ｆｃより高いバンドの被測定信号Ｘは低域用ローパスフィルタ１２で反射されてバンド切り換えスイッチ１１に戻り、再度バンド切り換えスイッチ１１から反射されて低域用ローパスフィルタ１２に向かうことを繰り返すとともに、バンド切り換えスイッチ１１の不十分なアイソレーションにより所定周波数ｆｃより高いバンドの経路に混入し、所定周波数ｆｃより高いバンドの周波数特性に乱れを生じさせる。
【００１６】
また、バンド切り換えスイッチ１１の後段に存在する所定周波数ｆｃより高いバンドの経路には、所定周波数ｆｃより高いバンドにのみ対応したデバイス、たとえば高域用中心周波数可変バンドパスフィルタ１４、具体的にはＹＴＦが接続されている。このため、所定周波数ｆｃより高いバンドの経路に漏れた所定周波数ｆｃより低いバンドの被測定信号ＸはＹＴＦで反射されてバンド切り換えスイッチ１１に戻り、再度バンド切り換えスイッチ１１から反射されてＹＴＦに向かうことを繰り返すとともに、バンド切り換えスイッチの不十分なアイソレーションにより所定周波数ｆｃより低いバンドの経路に混入し、所定周波数ｆｃより低いバンドの周波数特性に乱れを生じさせる。
【００１７】
このように、この所定周波数ｆｃより低いバンドの周波数特性の乱れ、所定周波数ｆｃより高いバンドの周波数特性の乱れは、スペクトラム分析装置１００のレベル測定確度を低下させる問題があり、解決が望まれていた。
【００１８】
そこで、本発明は上記問題点に鑑みてなされたものであり、アイソレーションを向上させて周波数特性の乱れを防止したバンド切り換えスイッチ１１を提供することにより、スペクトラム分析装置１００のレベル測定確度の向上を目的とするものである。
【課題を解決するための手段】
【００１９】
上記した目的を達成するために、請求項１記載のスペクトラム分析装置（１００）は、被測定信号Ｘを予め定められた所定周波数で低域と高域に切り換えを行うバンド切り換えスイッチ（１１）と、
前記バンド切り換えスイッチで切り換えられた前記低域の前記被測定信号の周波数を低域用中間周波数に変換する低域用周波数変換部（１３）と、
前記バンド切り換えスイッチで切り換えられた前記高域の前記被測定信号の周波数を高域用中間周波数に変換する高域用周波数変換部（１５）とを備え、
前記低域用中間周波数と前記高域用中間周波数に変換された前記被測定信号のスペクトラムを分析するスペクトラム分析装置（１００）であって、
前記バンド切り換えスイッチは、前記スペクトラム分析装置の前記被測定信号を入力する入力端子（４９）と、
前記入力端子の後段に接続され、前記所定周波数よりも低い周波数を遮断周波数としたハイパスフィルタ（５５）と、
前記ハイパスフィルタの後段に接続される高域出力端子（５８）と、
前記入力端子の後段に前記ハイパスフィルタと並列に接続され、前記所定周波数よりも高い周波数を遮断周波数としたローパスフィルタ（５１）と、
低域共通端子（５２ａ）、第１の出力端子（５２ｂ）および第２の出力端子（５２ｃ）を有し、前記ローパスフィルタから前記低域共通端子に入力される信号を前記第１の出力端子または前記第２の出力端子のいずれかに出力する低域スイッチ部（５２）と、
前記低域スイッチ部の前記第１の出力端子に接続される低域出力端子（５４）と、
前記低域スイッチ部の前記第２の出力端子に接続される低域終端器（５３）とから構成され、
前記スペクトラム分析装置の周波数を掃引しているときに、前記所定周波数より高い周波数では、前記低域スイッチ部を前記第２の出力端子に切り換えて前記所定周波数より高い周波数成分を前記低域終端器で終端するように制御するスイッチ制御部（２３）とをさらに備えたことを特徴とする。
【００２０】
上記した目的を達成するために、請求項２記載のスペクトラム分析装置（１００）は、被測定信号Ｘを予め定められた所定周波数で低域と高域に切り換えを行うバンド切り換えスイッチ（１１）と、
前記バンド切り換えスイッチで切り換えられた前記低域の前記被測定信号の周波数を低域用中間周波数に変換する低域用周波数変換部（１３）と、
前記バンド切り換えスイッチで切り換えられた前記高域の前記被測定信号の周波数を高域用中間周波数に変換する高域用周波数変換部（１５）とを備え、
前記低域用中間周波数と前記高域用中間周波数に変換された前記被測定信号のスペクトラムを分析するスペクトラム分析装置（１００）であって、
前記バンド切り換えスイッチは、前記スペクトラム分析装置の前記被測定信号を入力する入力端子（４９）と、
前記入力端子の後段に接続され、前記所定周波数よりも高い周波数を遮断周波数としたローパスフィルタ（５１）と、
前記ローパスフィルタの後段に接続される低域出力端子（５４）と、
前記入力端子の後段に前記ローパスフィルタと並列に接続され、前記所定周波数よりも低い周波数を遮断周波数としたハイパスフィルタ（５５）と、
高域共通端子（５６ａ）、第３の出力端子（５６ｂ）および第４の出力端子（５６ｃ）を有し、前記ハイパスフィルタから前記高域共通端子に入力される信号を前記第３の出力端子または前記第４の出力端子のいずれかに出力する高域スイッチ部（５６）と、
前記高域スイッチ部の前記第３の出力端子に接続される高域出力端子（５８）と、
前記高域スイッチ部の前記第４の出力端子に接続される高域終端器（５７）とから構成され、
前記スペクトラム分析装置の周波数を掃引しているときに、前記所定周波数より低い周波数では、前記高域スイッチ部を前記第４の出力端子に切り換えて前記所定周波数より低い周波数成分を前記高域終端器で終端するように制御するスイッチ制御部（２３）とをさらに備えたことを特徴とする。
【００２１】
上記した目的を達成するために、請求項３記載のスペクトラム分析装置（１００）は、被測定信号Ｘを予め定められた所定周波数で低域と高域に切り換えを行うバンド切り換えスイッチ（１１）と、
前記バンド切り換えスイッチで切り換えられた前記低域の前記被測定信号の周波数を低域用中間周波数に変換する低域用周波数変換部（１３）と、
前記バンド切り換えスイッチで切り換えられた前記高域の前記被測定信号の周波数を高域用中間周波数に変換する高域用周波数変換部（１５）とを備え、
前記低域用中間周波数と前記高域用中間周波数に変換された前記被測定信号のスペクトラムを分析するスペクトラム分析装置（１００）であって、
前記バンド切り換えスイッチは、前記スペクトラム分析装置の前記被測定信号を入力する入力端子（４９）と、
前記入力端子の後段に接続され、前記所定周波数よりも高い周波数を遮断周波数としたローパスフィルタ（５１）と、
低域共通端子（５２ａ）、第１の出力端子（５２ｂ）および第２の出力端子（５２ｃ）を有し、前記ローパスフィルタから前記低域共通端子に入力される信号を前記第１の出力端子または前記第２の出力端子のいずれかに出力する低域スイッチ部（５２）と、
前記低域スイッチ部の前記第１の出力端子に接続される低域出力端子（５４）と、
前記低域スイッチ部の前記第２の出力端子に接続される低域終端器（５３）と、
前記入力端子の後段に前記ローパスフィルタと並列に接続され、前記所定周波数よりも低い周波数を遮断周波数としたハイパスフィルタ（５５）と、
高域共通端子（５６ａ）、第３の出力端子（５６ｂ）および第４の出力端子（５６ｃ）を有し、前記ハイパスフィルタから前記高域共通端子に入力される信号を前記第３の出力端子または前記第４の出力端子のいずれかに出力する高域スイッチ部（５６）と、
前記高域スイッチ部の前記第３の出力端子に接続される高域出力端子（５８）と、
前記高域スイッチ部の前記第４の出力端子に接続される高域終端器（５７）とから構成され、
前記スペクトラム分析装置の周波数を掃引しているときに、前記所定周波数より高い周波数では、前記低域スイッチ部を前記第２の出力端子に切り換えて前記所定周波数より高い周波数成分を前記低域終端器で終端し、かつ前記所定周波数より低い周波数では、前記高域スイッチ部を前記第４の出力端子に切り換えて前記所定周波数より低い周波数成分を前記高域終端器で終端するように制御するスイッチ制御部（２３）とをさらに備えたことを特徴とする。
【発明の効果】
【００２２】
本発明によれば、スペクトラム分析装置１００の周波数を掃引しているときに、所定周波数ｆｃより低いバンドの経路に所定周波数ｆｃより高いバンドの信号が漏れることを防止しているので、周波数特性の乱れを低減することが可能となり、スペクトラム分析装置１００のレベル測定確度を向上させることができる。
【００２３】
また、本発明によれば、スペクトラム分析装置１００の周波数を掃引しているときに、所定周波数ｆｃより高いバンドの経路に所定周波数ｆｃより低いバンドの信号が漏れることを防止しているので、周波数特性の乱れを低減することが可能となり、スペクトラム分析装置１００のレベル測定確度を向上させることができる。
【００２４】
また、本発明によれば、スペクトラム分析装置１００の周波数を掃引しているときに、所定周波数ｆｃより低いバンドの経路に所定周波数ｆｃより高いバンドの信号が漏れることを防止でき、かつ所定周波数ｆｃより高いバンドの経路に所定周波数ｆｃより低いバンドの信号が漏れることを防止しているので、周波数特性の乱れを極小とすることが可能となり、スペクトラム分析装置１００のレベル測定確度を向上させることができる。
【図面の簡単な説明】
【００２５】
【図１】本発明に係るバンド切り換えスイッチの構成例を示す概略ブロック図である。
【図２】本発明に係るバンド切り換えスイッチを適用したスペクトラム分析装置の構成例を示す図である。
【図３】本発明に係るバンド切り換えスイッチの別の構成例を示す概略ブロック図である。
【図４】本発明に係るバンド切り換えスイッチのさらなる別の構成例を示す概略ブロック図である。
【図５】本発明に係るバンド切り換えスイッチのローパスフィルタとハイパスフィルタの周波数特性例を示す図である。
【図６】本発明に係るスペクトラム分析装置の表示画面例を示す図である。
【図７】従来のバンド切り換えスイッチの構成例を示す概略ブロック図である。
【図８】従来のバンド切り換えスイッチの別の構成例を示す概略ブロック図である。
【発明を実施するための形態】
【００２６】
以下、本発明を実施するための形態について、添付した図面を参照しながら詳細に説明する。なお、この実施の形態によりこの発明が限定されるものではなく、この形態に基づいて当業者等によりなされる実施可能な他の形態、実施例および運用技術等はすべて本発明の範疇に含まれる。
【００２７】
（第１の実施形態）
まず、本発明に係るバンド切り換えスイッチ１１を用いたスペクトラム分析装置１００の構成について、図１、図２、図３および図４を参照しながら説明する。
【００２８】
図２に示すように、本例のスペクトラム分析装置１００は、可変減衰器１０、バンド切り換えスイッチ１１、低域用ローパスフィルタ１２、低域用周波数変換部１３、高域用中心周波数可変バンドパスフィルタ１４、高域用周波数変換部１５、中間周波数用スイッチ１６、Ａ／Ｄ変換部１７、信号処理部１８、表示制御部１９、表示部２０、操作部２１、制御部２２、スイッチ制御部２３を備えている。
【００２９】
操作部２１は、表示部２０の表示画面上における装置駆動に必要な設定項目の設定をするために、たとえばキーボード、ボタン、マウス、タッチパネル等の入力デバイスで構成される。操作部２１では、たとえば下限周波数８０（Ｓｔａｒｔ）、上限周波数８１（Ｓｔｏｐ）、分解能帯域幅８３（ＲＢＷ：Ｒｅｓｏｌｕｔｉｏｎ  Ｂａｎｄ  Ｗｉｄｔｈ）、可変減衰器１０の減衰量を示す可変減衰器減衰量８５などのスペクトラム分析に必要なパラメータを操作、入力可能としている。操作部２１からたとえば可変減衰器減衰量８５が入力されると、制御部２２は可変減衰器１０が操作部２１から入力された減衰量になるよう、可変減衰器１０に対して制御信号を出力している。
【００３０】
スペクトラム分析装置１００には、被測定信号Ｘが被測定信号入力端子Ｃから入力される。被測定信号入力端子Ｃの後段には、可変減衰器１０が接続されている。
【００３１】
可変減衰器１０は、被測定信号Ｘを任意の減衰量で減衰させる。可変減衰器１０は、被測定信号Ｘの過大なレベルにより後段にある低域用周波数変換部１３、高域用周波数変換部１５で歪みが生じてスペクトラム分析のダイナミックレンジが低下することを防ぐために設けられている。
【００３２】
可変減衰器１０の減衰量は、可変減衰器減衰量８５として、表示部２０に表示される。なお、可変減衰器１０は、減衰量ゼロの設定も可能である。可変減衰器１０の後段には、バンド切り換えスイッチ１１が接続されている。
【００３３】
バンド切り換えスイッチ１１は、被測定信号Ｘに対し、予め定められた所定周波数ｆｃより低いバンド（以下、低域とも称する）と、予め定められた所定周波数ｆｃより高いバンド（以下、高域とも称する）の経路を切り換えるために備えられている。
【００３４】
ここで、予め定められた所定周波数ｆｃとは、バンド分けの境目となる周波数であり、スペクトラム分析装置１００の設計時に決定される。高域に用いる高域用中心周波数可変バンドパスフィルタ１４の実現手段となるＹＴＦの同調周波数は、たとえば４ＧＨｚから５０ＧＨｚまでといった範囲に限定されているので、これに対応して低域に用いる低域用ローパスフィルタ１２の遮断周波数はたとえば４ＧＨｚ近傍とする。このように、低域と高域のそれぞれに使用可能なデバイスの仕様などを考慮して、予め定められた所定周波数ｆｃをたとえば４．０ＧＨｚとして設計する。
【００３５】
図１、図３および図４に示すように、本発明のバンド切り換えスイッチ１１は、切り換え対象である被測定信号Ｘが入力される入力端子４９、予め定められた所定周波数ｆｃよりも低い周波数成分を出力するための低域出力端子５４、予め定められた所定周波数ｆｃよりも高い周波数成分を出力するための高域出力端子５８、ローパスフィルタ５１、ハイパスフィルタ５５を含んでいる。入力端子４９の後段には、ローパスフィルタ５１と、ハイパスフィルタ５５とが分岐点５０を介して並列に接続されている。
【００３６】
さらに、バンド切り換えスイッチ１１は、低域スイッチ部５２と低域終端器５３との組合せ、高域スイッチ部５６と高域終端器５７との組合せの少なくともいずれかを含んでいる。
【００３７】
ローパスフィルタ５１およびハイパスフィルタ５５は、高周波特性に優れたキャパシタ、インダクタ、抵抗といった素子を用い、それぞれのフィルタは所望の遮断周波数ｆｌ、ｆｈとなるように、公知のフィルタ技術によりキャパシタ、インダクタ、抵抗の値および回路が構成されている。特に数ＧＨｚから数十ＧＨｚといった高い周波数では、低損失を実現し、また製造時のバラツキを低減させるために、プリントパターンや薄膜にてキャパシタ、インダクタ、抵抗を実現している。
【００３８】
ここで、図５に示すようにローパスフィルタ５１の周波数特性は予め定められた所定周波数ｆｃよりも高い周波数が遮断周波数ｆｌになるように構成され、ハイパスフィルタ５５の周波数特性は予め定められた所定周波数ｆｃよりも低い周波数が遮断周波数ｆｈとなるように構成されている。
【００３９】
具体的には、バンド分けの境目となる周波数、すなわち予め定められた所定周波数ｆｃをたとえば４．０ＧＨｚとしたとき、ローパスフィルタ５１の遮断周波数ｆｌをたとえば４．２ＧＨｚと設計し、ハイパスフィルタ５５の遮断周波数ｆｈをたとえば３．８ＧＨｚと設計し、これらの遮断周波数ｆｌ、遮断周波数ｆｈになるようにキャパシタ、インダクタ、抵抗といった素子の値を決定する。
【００４０】
ここで、４．０ＧＨｚよりやや高い周波数の被測定信号Ｘ、たとえば４．３ＧＨｚの信号は、ローパスフィルタ５１を少しの減衰量で通過できるため、４．０ＧＨｚより低いバンドをオンの経路としているときにもローパスフィルタ５１の出力側には４．３ＧＨｚの信号が出力されている。
【００４１】
仮に、ローパスフィルタ５１の出力側が低域出力端子５４に直接接続されていた場合、低域出力端子５４の後段には４．０ＧＨｚ以下の周波数にのみ対応した低域用ローパスフィルタ１２が接続されているので、４．３ＧＨｚの信号に対して反射が生じてバンド切り換えスイッチ１１の低域出力端子５４に戻り、再度ローパスフィルタ５１の出力端から反射されて低域用ローパスフィルタ１２に向かうことを繰り返して、４．０ＧＨｚより高いバンドの経路に混入し、４．０ＧＨｚより高いバンドの周波数特性に乱れを生じさせる。
【００４２】
そこで、本発明では４．０ＧＨｚより高いバンドをオンの経路としているときには、低域スイッチ部５２を第２の出力端子５２ｃに切り換えて、ローパスフィルタ５１の出力側に生じた４．０ＧＨｚより高い周波数成分を低域終端器５３で終端するようにしている。その結果、オフとなっている４．０ＧＨｚより低いバンドの経路に４．０ＧＨｚより高いバンドの信号が漏れることを阻止している。
【００４３】
低域スイッチ部５２は、低域共通端子５２ａ、第１の出力端子５２ｂ、第２の出力端子５２ｃからなる。また、高域スイッチ部５６は、高域共通端子５６ａ、第３の出力端子５６ｂ、第４の出力端子５６ｃからなる。
【００４４】
低域スイッチ部５２および高域スイッチ部５６は、オンになった経路に対して被測定信号Ｘを伝達するスイッチであり、直流からたとえば数十ＧＨｚまでに対応した機械的に接点を断続させてオンオフするスイッチ構造や、ダイオードなどの半導体素子をバイアス回路によってオンオフするスイッチ構造により構成される。オンになった経路に対しては高周波損失が小さく、またオフになった経路に対しては被測定信号Ｘを遮断すべく高周波信号の漏れを小さくしてアイソレーションを確保する構成とされている。なお、低域スイッチ部５２および高域スイッチ部５６は、スイッチ制御部２３からの制御により、オンオフ動作を行っている。
【００４５】
低域終端器５３および高域終端器５７は、たとえば無誘導抵抗などの高周波特性に優れた公知の抵抗素子を用いており、そのインピーダンスはバンド切り換えスイッチ１１が使用される線路のインピーダンスと同じとされ、たとえば５０Ωである。
【００４６】
スイッチ制御部２３は、たとえばＣＰＵやＲＯＭ、ＲＡＭ等のマイクロコンピュータで構成され、予め定められた所定周波数ｆｃを境に、バンド切り換えスイッチ１１の入力端子４９に入力された被測定信号Ｘを後段の低域用ローパスフィルタ１２または高域用中心周波数可変バンドパスフィルタ１４のいずれかに切り換えている。なお、スイッチ制御部２３は制御部２２に包含させた構成とされていてもよい。
【００４７】
具体的には、操作部２１から設定された下限周波数８０（Ｓｔａｒｔ）と、上限周波数８１（Ｓｔｏｐ）との掃引区間を掃引するが、掃引する際に予め定められた所定周波数ｆｃを跨ぐときにバンド切り換えスイッチ１１を切り換えている。
【００４８】
低域用ローパスフィルタ１２は、バンド切り換えスイッチ１１の低域出力端子５４の後段に接続されている。予め定められた所定周波数ｆｃをたとえば４．０ＧＨｚまでと設計している場合、４．０ＧＨｚより高い周波数の高周波信号を減衰させることにより、後段の低域用周波数変換部１３でのイメージ妨害の防止を図っている。
【００４９】
低域用周波数変換部１３は、低域用ローパスフィルタ１２の後段に接続されている。低域用周波数変換部１３は、低域用ローパスフィルタ１２を通過した信号と、図示しない局部発振器からの信号とを図示しない混合器によって混合し、所望の低域用中間周波数へと変換する。
【００５０】
高域用中心周波数可変バンドパスフィルタ１４は、バンド切り換えスイッチ１１の高域出力端子５８の後段に接続されている。予め定められた所定周波数ｆｃをたとえば４．０ＧＨｚまでと設計している場合、４．０ＧＨｚより低い周波数の高周波信号と、４．０ＧＨｚより高い周波数の高周波信号であっても選択された中心周波数以外の高周波信号を減衰させることにより、後段の高域用周波数変換部１５での後段でのイメージ妨害の防止を図っている。
【００５１】
高域用周波数変換部１５は、高域用中心周波数可変バンドパスフィルタ１４の後段に接続されている。高域用周波数変換部１５は、高域用中心周波数可変バンドパスフィルタ１４を通過した信号と、図示しない局部発振器からの信号とを図示しない混合器によって混合し、所望の高域用中間周波数へと変換する。
【００５２】
中間周波数用スイッチ１６は、低域用周波数変換部１３および高域用周波数変換部１５の後段に接続されている。中間周波数用スイッチ１６は、低域用周波数変換部１３によって所望の低域用中間周波数へと変換された低域用中間周波数信号と、高域用周波数変換部１５によって所望の高域用中間周波数へと変換された高域用中間周波数信号のいずれかを、後段のＡ／Ｄ変換部１７に入力するために切り換えている。この切り換えは、予め定められた所定周波数ｆｃにて行われるようになっている。すなわち、バンド切り換えスイッチ１１を切り換えるタイミングと同じタイミングで切り換えを行う。
【００５３】
Ａ／Ｄ変換部１７は、中間周波数用スイッチ１６から入力された低域用中間周波数信号または高域用中間周波数信号のアナログ信号に対し、後段の信号処理部１８でデジタル信号処理が行えるようにアナログ信号からデジタル信号への変換を行う。
【００５４】
信号処理部１８は、Ａ／Ｄ変換部１７から入力されたデジタル信号に対し、スペクトラム分析を行うために検波処理、平均化処理、対数増幅処理などを行う。
【００５５】
表示制御部１９における表示制御例としては、表示部２０に表示するための任意に設定された下限周波数８０（Ｓｔａｒｔ）、上限周波数８１（Ｓｔｏｐ）、分解能帯域幅８３（ＲＢＷ）、可変減衰器減衰量８５などのスペクトラム分析に必要なパラメータ、入力された被測定信号Ｘのスペクトラム分析結果の波形８２の表示、スペクトラム分析結果に対して任意の周波数におけるレベルを表示するマーカ８４、図示しない任意の選択された周波数範囲における電力の表示などの表示制御がある。
【００５６】
表示部２０は、ＬＣＤ（Ｌｉｑｕｉｄ  Ｃｒｙｓｔａｌ  Ｄｉｓｐｌａｙ）等の表示機器で構成され、表示制御部１９の制御に基づく表示内容を表示している。表示部２０に表示される表示内容としては、たとえば図６に示すように下限周波数８０（Ｓｔａｒｔ）、上限周波数８１（Ｓｔｏｐ）、分解能帯域幅８３（ＲＢＷ）、可変減衰器減衰量８５などのスペクトラム分析に必要なパラメータ、入力された被測定信号Ｘのスペクトラム分析結果の波形８２の表示を行う。
【００５７】
制御部２２は、たとえばＣＰＵやＲＯＭ、ＲＡＭ等のマイクロコンピュータで構成され、操作部２１から下限周波数８０（Ｓｔａｒｔ）、上限周波数８１（Ｓｔｏｐ）、分解能帯域幅８３（ＲＢＷ）、可変減衰器減衰量８５などのスペクトラム分析に必要なパラメータが入力されると、入力されたパラメータに基づいて制御対象と値を解析し、スペクトラム分析装置１００を構成する各部の駆動制御を行っている。また、スペクトラム分析に必要なパラメータに合わせて低域用周波数変換部１３および高域用周波数変換部１５のそれぞれの局部発振器の発振周波数の制御、Ａ／Ｄ変換部１７、信号処理部１８、表示制御部１９の制御を行っている。
【００５８】
次に、上述したスペクトラム分析装置１００における動作の一例、特に低域スイッチ部５２の動作について図１および図２を参照しながら説明する。なお、スペクトラム分析に必要なパラメータの設定、表示を行う際に用いる画面の表示構成としては、図６に示す表示例とする。
【００５９】
ユーザは、スペクトラム分析装置１００において、操作部２１を用いて下限周波数８０（Ｓｔａｒｔ）、上限周波数８１（Ｓｔｏｐ）、分解能帯域幅８３（ＲＢＷ）、可変減衰器減衰量８５などのスペクトラム分析に必要なパラメータを操作、入力する。
【００６０】
操作部２１からは、分析する下限周波数８０（Ｓｔａｒｔ）としてたとえば１．０ＧＨｚ、上限周波数８１（Ｓｔｏｐ）としてたとえば６．０ＧＨｚを入力する。これにより、被測定信号Ｘに対して１．０ＧＨｚから６．０ＧＨｚまでの掃引区間の周波数範囲でスペクトラム分析を行う設定となる。制御部２２は、この下限周波数８０（Ｓｔａｒｔ）と、上限周波数８１（Ｓｔｏｐ）とを図示しない記憶部に記憶する。
【００６１】
また、操作部２１からは、分解能帯域幅８３（ＲＢＷ）をたとえば１０ｋＨｚと入力する。これにより、スペクトラム分析をする際の分解能が１０ｋＨｚとなる。なお、分解能帯域幅８３（ＲＢＷ）は、たとえば１Ｈｚから数十ＭＨｚまでの値を任意に設定可能である。一般的に、分解能帯域幅８３（ＲＢＷ）を狭くすれば狭い間隔で隣接した周波数成分を分離して分析できるが測定時間が長くなる傾向があり、分析したい被測定信号Ｘの性質や分析目的によって分解能帯域幅８３（ＲＢＷ）を適切に設定する。制御部２２は、この分解能帯域幅８３（ＲＢＷ）を図示しない記憶部に記憶する。
【００６２】
少なくとも下限周波数８０（Ｓｔａｒｔ）と、上限周波数８１（Ｓｔｏｐ）と、分解能帯域幅８３（ＲＢＷ）とが設定されると、スペクトラム分析装置１００は被測定信号Ｘの分析を開始する。本例では制御部２２からの掃引開始の信号に基づいて、設定された下限周波数８０（Ｓｔａｒｔ）の１．０ＧＨｚから上限周波数８１（Ｓｔｏｐ）の６．０ＧＨｚまでの掃引区間を掃引する。
【００６３】
ここで、予め定められた所定周波数ｆｃ、すなわちバンド分けの境目となる周波数は４．０ＧＨｚとして設計したものとして説明する。この場合、制御部２２は図示しない記憶部に記憶された１．０ＧＨｚから６．０ＧＨｚまでの掃引区間を、１．０ＧＨｚから４．０ＧＨｚまでの周波数と、４．０ＧＨｚから６．０ＧＨｚまでの周波数に分割して制御するように構成されている。
【００６４】
１．０ＧＨｚから４．０ＧＨｚまでの周波数を掃引しているときには、制御部２２はスイッチ制御部２３に対して４．０ＧＨｚより低い周波数を掃引している旨の信号を出力する。また、４．０ＧＨｚから６．０ＧＨｚまでの周波数を掃引しているときには、制御部２２はスイッチ制御部２３に対して４．０ＧＨｚより高い周波数を掃引している旨の信号を出力する。
【００６５】
スイッチ制御部２３は、制御部２２からの１．０ＧＨｚから４．０ＧＨｚまでの周波数を掃引している旨の信号を受けると、バンド切り換えスイッチ１１の低域スイッチ部５２に対し、第１の出力端子５２ｂに切り換えて４．０ＧＨｚより低い周波数成分を低域出力端子５４に出力するように制御する。これにより、ローパスフィルタ５１を通過した４．０ＧＨｚより低い周波数成分は、そのまま低域出力端子５４に出力される。
【００６６】
また、スイッチ制御部２３は、制御部２２からの４．０ＧＨｚから６．０ＧＨｚまでの周波数を掃引している旨の信号を受けると、バンド切り換えスイッチ１１の低域スイッチ部５２に対し、第２の出力端子５２ｃに切り換えて４．０ＧＨｚより高い周波数成分を低域終端器５３で終端するように制御する。これにより、ローパスフィルタ５１を通過した４．０ＧＨｚより高い周波数成分は低域終端器５３で終端され、低域出力端子５４に出力されることはない。対して、ハイパスフィルタ５５を通過した４．０ＧＨｚより高い周波数成分は、そのまま高域出力端子５８に出力される。
【００６７】
そして、１．０ＧＨｚから４．０ＧＨｚまでの周波数を掃引しているときには、バンド切り換えスイッチ１１を経由した被測定信号Ｘは低域用ローパスフィルタ１２に入力され、たとえば４．０ＧＨｚより高い周波数の高周波信号を減衰させてから、低域用周波数変換部１３に入力する。
【００６８】
低域用周波数変換部１３は、低域用ローパスフィルタ１２を通過した信号と、低域用周波数変換部１３に含まれる図示しない局部発振器からの信号とを図示しない混合器によって混合し、所望の低域用中間周波数へと変換する。
【００６９】
ここで、局部発振器の発振周波数は可変可能であり、低域用ローパスフィルタ１２を通過した信号が予め定められた中間周波数に変換されるよう、制御部２２からの制御信号によって発振周波数を可変して掃引を実現している。たとえば、中間周波数が５００ＭＨｚの場合、低域用ローパスフィルタ１２を通過した信号、すなわち被測定信号Ｘの周波数が１．０ＧＨｚから４．０ＧＨｚまでの周波数を掃引しているときには、局部発振器の発振周波数は１．５ＧＨｚから４．５ＧＨｚの間を発振し、低域用ローパスフィルタ１２を通過した信号と局部発振器の発振周波数の差分の信号が常に中間周波数５００ＭＨｚとなるようにしている。
【００７０】
また、４．０ＧＨｚから６．０ＧＨｚまでの周波数を掃引しているときには、バンド切り換えスイッチ１１を経由した被測定信号Ｘは高域用中心周波数可変バンドパスフィルタ１４に入力され、たとえば中心周波数５．０ＧＨｚ以外の高周波信号（掃引している中心周波数以外の高周波信号）を減衰させて、高域用周波数変換部１５に入力する。
【００７１】
高域用周波数変換部１５は、高域用中心周波数可変バンドパスフィルタ１４を通過した信号と、高域用周波数変換部１５に含まれる図示しない局部発振器からの信号とを図示しない混合器によって混合し、所望の高域用中間周波数へと変換する。
【００７２】
ここで、局部発振器の発振周波数は可変可能であり、高域用中心周波数可変バンドパスフィルタ１４を通過した信号が予め定められた中間周波数に変換されるよう、制御部２２からの制御信号によって発振周波数を可変して掃引を実現している。たとえば、中間周波数が１．０ＧＨｚの場合、高域用中心周波数可変バンドパスフィルタ１４を通過した信号、すなわち被測定信号Ｘの周波数が４．０ＧＨｚから６．０ＧＨｚまでの周波数を掃引しているときには、局部発振器の発振周波数は３．０ＧＨｚから５．０ＧＨｚの間を発振し、高域用中心周波数可変バンドパスフィルタ１４を通過した信号と局部発振器の発振周波数の差分の信号が常に中間周波数１．０ＧＨｚとなるようにしている。
【００７３】
なお、スペクトラム分析装置１００の構成によっては、低域用中間周波数と、高域用中間周波数とが同一周波数になるように局部発振器の周波数を適宜構成してもよい。
【００７４】
中間周波数用スイッチ１６は、低域用周波数変換部１３および高域用周波数変換部１５の後段に接続されている。中間周波数用スイッチ１６は、低域用周波数変換部１３によって５００ＭＨｚに変換された低域用中間周波数信号と、高域用周波数変換部１５によって１．０ＧＨｚに変換された高域用中間周波数信号のいずれかを、後段のＡ／Ｄ変換部１７に入力するために切り換えている。この切り換えは、バンド分けの境目となる所定周波数ｆｃで行っており、本例では４．０ＧＨｚで切り換えを行っている。なお、中間周波数用スイッチ１６で切り換える低域用中間周波数はたとえば５００ＭＨｚ、高域用中間周波数はたとえば１．０ＧＨｚとしたが、この程度の低い周波数であれば従来のスイッチ構造であってもアイソレーションが十分に確保できる。
【００７５】
Ａ／Ｄ変換部１７は、中間周波数用スイッチ１６から入力された低域用中間周波数信号または高域用中間周波数信号のアナログ信号に対し、後段の信号処理部１８でデジタル信号処理が行えるようにアナログ信号からデジタル信号への変換を行う。具体的には、中間周波数信号に対して十分に高いサンプリング周波数にてサンプリングして公知の標本化を行い、入力されたアナログの中間周波数信号を公知の量子化、符号化を行ってデジタル信号に変換する。
【００７６】
信号処理部１８は、Ａ／Ｄ変換部１７から入力されたデジタル信号に対し、スペクトラム分析を行うために検波処理、平均化処理、対数増幅処理などを行う。検波処理は、たとえば包絡線検波処理、必要に応じてポジティブピーク、ネガティブピークの検波処理などである。平均化処理は、指定された掃引区間において複数回掃引された検波結果に対して平均を求める。対数増幅処理は、幅広いダイナミックレンジの信号を対数圧縮して表示するために、検波された信号のレベルに対して、対数表示するために対数増幅を行っている。そして、検波処理、平均化処理、対数増幅処理などの結果を表示するために表示制御部１９に処理結果を出力する。
【００７７】
表示制御部１９は、信号処理部１８から出力された検波処理、平均化処理、対数増幅処理などの結果を、入力された被測定信号Ｘのスペクトラム分析結果の波形８２となるように、たとえば縦軸をレベル、横軸を周波数として波形描画する処理を行って表示部２０に表示する。その他に、下限周波数８０（Ｓｔａｒｔ）、上限周波数８１（Ｓｔｏｐ）、分解能帯域幅８３（ＲＢＷ）、可変減衰器減衰量８５などのスペクトラム分析に必要なパラメータ、スペクトラム分析結果の波形８２に対して任意の周波数におけるレベルを表示するマーカ８４、選択された任意の周波数範囲における電力の表示などの表示制御を行う。
【００７８】
このように、スペクトラム分析装置１００の周波数を掃引しているときに、所定周波数ｆｃより低いバンドの経路に所定周波数ｆｃより高いバンドの信号が漏れることを防止しているので、周波数特性の乱れを低減することが可能となり、スペクトラム分析装置１００のレベル測定確度を向上させることができる。
【００７９】
（第２の実施形態）
次に、上述したスペクトラム分析装置１００における動作の別の一例、特に高域スイッチ部５６の動作について図３を参照しながら説明する。
【００８０】
ここで、スペクトラム分析装置１００における下限周波数８０（Ｓｔａｒｔ）、上限周波数８１（Ｓｔｏｐ）、分解能帯域幅８３（ＲＢＷ）、可変減衰器減衰量８５などのスペクトラム分析に必要な動作および制御部２２の動作は、低域スイッチ部５２の説明と同様であるので、記載を省略する。
【００８１】
高域スイッチ部５６に固有の動作を説明する。スイッチ制御部２３は、制御部２２からの１．０ＧＨｚから４．０ＧＨｚまでの周波数を掃引している旨の信号を受けると、バンド切り換えスイッチ１１の高域スイッチ部５６に対し、第４の出力端子５６ｃに切り換えて４．０ＧＨｚより低い周波数成分を高域終端器５７で終端するように制御する。これにより、ハイパスフィルタ５５を通過した４．０ＧＨｚより低い周波数成分は高域終端器５７で終端され、高域出力端子５８に出力されることはない。対して、ローパスフィルタ５１を通過した４．０ＧＨｚより低い周波数成分は、そのまま低域出力端子５４に出力される。
【００８２】
また、スイッチ制御部２３は、制御部２２からの４．０ＧＨｚから６．０ＧＨｚまでの周波数を掃引している旨の信号を受けると、バンド切り換えスイッチ１１の高域スイッチ部５６に対し、第３の出力端子５６ｂに切り換えて４．０ＧＨｚより高い周波数成分を高域出力端子５８に出力するように制御する。これにより、ハイパスフィルタ５５を通過した４．０ＧＨｚより高い周波数成分は、そのまま高域出力端子５８に出力される。
【００８３】
このように、スペクトラム分析装置１００の周波数を掃引しているときに、所定周波数ｆｃより高いバンドの経路に所定周波数ｆｃより低いバンドの信号が漏れることを防止しているので、周波数特性の乱れを低減することが可能となり、スペクトラム分析装置１００のレベル測定確度を向上させることができる。
【００８４】
（第３の実施形態）
次に、上述したスペクトラム分析装置１００における動作の別の一例、低域スイッチ部５２および高域スイッチ部５６を併用した動作について図４を参照しながら説明する。
【００８５】
ここで、スペクトラム分析装置１００における下限周波数８０（Ｓｔａｒｔ）、上限周波数８１（Ｓｔｏｐ）、分解能帯域幅８３（ＲＢＷ）、可変減衰器減衰量８５などのスペクトラム分析に必要な動作および制御部２２の動作は、低域スイッチ部５２および高域スイッチ部５６の説明と同様であるので、記載を省略する。
【００８６】
低域スイッチ部５２と高域スイッチ部５６を併用したときの固有の動作を説明する。スイッチ制御部２３は、制御部２２からの１．０ＧＨｚから４．０ＧＨｚまでの周波数を掃引している旨の信号を受けると、バンド切り換えスイッチ１１の低域スイッチ部５２に対し、第１の出力端子５２ｂに切り換えて４．０ＧＨｚより低い周波数成分を低域出力端子５４に出力するように制御する。これにより、ローパスフィルタ５１を通過した４．０ＧＨｚより低い周波数成分は、そのまま低域出力端子５４に出力される。
【００８７】
同時に、スイッチ制御部２３は、バンド切り換えスイッチ１１の高域スイッチ部５６に対し、第４の出力端子５６ｃに切り換えて４．０ＧＨｚより低い周波数成分を高域終端器５７で終端するように制御する。これにより、ハイパスフィルタ５５を通過した４．０ＧＨｚより低い周波数成分は高域終端器５７で終端され、高域出力端子５８に出力されることはない。
【００８８】
また、スイッチ制御部２３は、制御部２２からの４．０ＧＨｚから６．０ＧＨｚまでの周波数を掃引している旨の信号を受けると、バンド切り換えスイッチ１１の低域スイッチ部５２に対し、第２の出力端子５２ｃに切り換えて４．０ＧＨｚより高い周波数成分を低域終端器５３で終端するように制御する。これにより、ローパスフィルタ５１を通過した４．０ＧＨｚより高い周波数成分は低域終端器５３で終端され、低域出力端子５４に出力されることはない。
【００８９】
同時に、スイッチ制御部２３は、バンド切り換えスイッチ１１の高域スイッチ部５６に対し、第３の出力端子５６ｂに切り換えて４．０ＧＨｚより高い周波数成分を高域出力端子５８に出力するように制御する。これにより、ハイパスフィルタ５５を通過した４．０ＧＨｚより高い周波数成分は、そのまま高域出力端子５８に出力される。
【００９０】
このように、スペクトラム分析装置１００の周波数を掃引しているときに、所定周波数ｆｃより低いバンドの経路に所定周波数ｆｃより高いバンドの信号が漏れることを防止でき、かつ所定周波数ｆｃより高いバンドの経路に所定周波数ｆｃより低いバンドの信号が漏れることを防止しているので、周波数特性の乱れを極小とすることが可能となり、スペクトラム分析装置１００のレベル測定確度を向上させることができる。
【符号の説明】
【００９１】
１０…可変減衰器
１１…バンド切り換えスイッチ
１２…低域用ローパスフィルタ
１３…低域用周波数変換部
１４…高域用中心周波数可変バンドパスフィルタ
１５…高域用周波数変換部
１６…中間周波数用スイッチ
１７…Ａ／Ｄ変換部
１８…信号処理部
１９…表示制御部
２０…表示部
２１…操作部
２２…制御部
２３…スイッチ制御部
４９…入力端子
５０…分岐点
５１…ローパスフィルタ
５２低域スイッチ部
５２ａ…低域共通端子
５２ｂ…第１の出力端子
５２ｃ…第２の出力端子
５３…低域終端器
５４…低域出力端子
５５…ハイパスフィルタ
５６…高域スイッチ部
５６ａ…高域共通端子
５６ｂ…第３の出力端子
５６ｃ…第４の出力端子
５７…高域終端器
５８…高域出力端子
８０…下限周波数
８１…上限周波数
８２…分析結果波形
８３…分解能帯域幅（ＲＢＷ）
８４…マーカ
８５…可変減衰器減衰量
１００…スペクトラム分析装置
Ｘ…被測定信号
Ｃ…被測定信号入力端子
ｆｃ…バンド切り換え周波数（所定周波数）
ｆｌ…ローパスフィルタの遮断周波数
ｆｈ…ハイパスフィルタの遮断周波数
【図１】
2013096841.tif 000003
【図２】
2013096841.tif 000004
【図３】
2013096841.tif 000005
【図４】
2013096841.tif 000006
【図５】
2013096841.tif 000007
【図６】
2013096841.tif 000008
【図７】
2013096841.tif 000009
【図８】
2013096841.tif 000010